(57)【特許請求の範囲】
【請求項１】
建物開口部に設けられる額縁の内周に取付けられる枠体内に障子を納めてなるサッシにおいて、
前記枠体は、前記額縁の室内端よりも室内側に伸びる室内端部を有し、該室内端部の外周面には被嵌合部が形成され、該被嵌合部には樹脂製のふかし枠が嵌合され、該ふかし枠により前記額縁の見込方向寸法を室内側に延長し、
前記障子を構成する縦框は、当該障子が閉じた状態で、前記枠体を構成する縦枠の内周面のうち、前記額縁の内周側に位置している部分に当接し、前記ふかし枠の内周側に位置している部分には当接しないことを特徴とするサッシ。
【請求項２】
前記枠体を構成する左右の縦枠の室内端部に前記被嵌合部が形成され、該被嵌合部に縦ふかし枠が嵌合されることを特徴とする請求項１記載のサッシ。
【請求項３】
前記枠体を構成する上下枠と左右の縦枠の四周に渡って室内端部に前記被嵌合部が形成され、該被嵌合部にそれぞれ上ふかし枠と下ふかし枠及び縦ふかし枠が嵌合されることを特徴とする請求項１記載のサッシ。
【請求項４】
前記枠体を構成する上下枠の室内端部に前記被嵌合部が形成され、該被嵌合部にそれぞれ上ふかし枠と下ふかし枠が嵌合されることを特徴とする請求項１記載のサッシ。
【請求項５】
前記障子の縦辺外周部に、前記枠体の内周面のうち前記額縁の内周側に位置している部分に当接自在な当たり部を設けたことを特徴とする請求項１〜３のいずれか１項に記載のサッシ。
【請求項６】
前記ふかし枠は、前記枠体の被嵌合部に対して嵌合自在な嵌合部を有する内周面部と、前記額縁の室内端面を覆う被覆面部とを有し、前記ふかし枠の見込方向寸法は前記枠体の室内端部の見込方向寸法と略同じであることを特徴とする請求項１〜５のいずれか１項に記載のサッシ。
【請求項７】
前記ふかし枠の被覆面部は、前記内周面部の室内端部から外周側に伸びる室内面と、該室内面の外周端部から前記額縁の室内端部側に伸びる外周面とからなることを特徴とする請求項６記載のサッシ。
【請求項８】
前記枠体の被嵌合部は枠材の長手方向に沿う凹状または凸状に形成され、前記嵌合部は前記ふかし枠の長手方向に沿うと共に、凹状または凸状の前記被嵌合部に対して嵌合自在な凸状または凹状に形成されることを特徴とする請求項６または７記載のサッシ。
【発明の詳細な説明】
【技術分野】
【０００１】
本発明は、建物開口部の額縁内周に取付けられるサッシに関し、特に額縁の室内側にふかし枠を取付けて枠体を取付けるための見込方向寸法を拡大したサッシに関する。
【背景技術】
【０００２】
外窓の室内側に取付けられる内窓などにおいては、建物開口部に設けられる額縁の内周にサッシの枠体が設置される。この際に、額縁の見込方向幅が不足する場合には、額縁の室内端部にふかし枠を取付けて、枠体を取付けるための見込方向寸法を拡大する。
【０００３】
ふかし枠の構造としては、額縁材の室内端部に、金属製のアングル部材を室内側に向かって伸びるように取付けて額縁材の見込方向寸法を拡大し、アングル部材の室内露出面を被覆するように、樹脂製のカバー部材を設け、アングル部材の内周面側にサッシの枠体を固定していた。このような構造のふかし枠を有したサッシとしては、例えば特許文献１に挙げるようなものがある。
【先行技術文献】
【特許文献】
【０００４】
【特許文献１】特開２００７−２９７８３１号公報
【発明の概要】
【発明が解決しようとする課題】
【０００５】
従来のふかし枠を用いたサッシの施工は、まず、額縁に金属製のアングル部材をネジ止め固定し、取付けられたアングル部材に樹脂製のカバー材を係合させて取付け、その上でサッシの枠体を額縁及びアングル部材に対して固定するという手順で行われていた。このように、従来のふかし枠では、アングル部材の固定とカバー材の固定が必要だったため、工数が多く、施工に時間を要していた。
【０００６】
本発明は前記課題を鑑みてなされたものであり、ふかし枠を用いた施工を短時間に行うことのできるサッシを提供することを目的とする。
【課題を解決するための手段】
【０００７】
前記課題を解決するため、本発明に係るサッシは、建物開口部に設けられる額縁の内周に取付けられる枠体内に障子を納めてなるサッシにおいて、
前記枠体は、前記額縁の室内端よりも室内側に伸びる室内端部を有し、該室内端部の外周面には被嵌合部が形成され、該被嵌合部には樹脂製のふかし枠が嵌合され、該ふかし枠により前記額縁の見込方向寸法を室内側に延長し、
前記障子を構成する縦框は、当該障子が閉じた状態で、前記枠体を構成する縦枠の内周面のうち、前記額縁の内周側に位置している部分に当接し、前記ふかし枠の内周側に位置している部分には当接しないことを特徴として構成されている。
【０００８】
また、本発明に係るサッシは、前記枠体を構成する左右の縦枠の室内端部に前記被嵌合部が形成され、該被嵌合部に縦ふかし枠が嵌合されることを特徴として構成されている。
【０００９】
さらに、本発明に係るサッシは、前記枠体を構成する上下枠と左右の縦枠の四周に渡って室内端部に前記被嵌合部が形成され、該被嵌合部にそれぞれ上ふかし枠と下ふかし枠及び縦ふかし枠が嵌合されることを特徴として構成されている。
【００１０】
さらにまた、本発明に係るサッシは、前記枠体を構成する上下枠の室内端部に前記被嵌合部が形成され、該被嵌合部にそれぞれ上ふかし枠と下ふかし枠が嵌合されることを特徴として構成されている。
【００１１】
そして、本発明に係るサッシは、前記障子の縦辺外周部に、前記枠体の内周面のうち前記額縁の内周側に位置している部分に当接自在な当たり部を設けたことを特徴として構成されている。
【００１２】
また、本発明に係るサッシは、前記ふかし枠は、前記枠体の被嵌合部に対して嵌合自在な嵌合部を有する内周面部と、前記額縁の室内端面を覆う被覆面部とを有し、前記ふかし枠の見込方向寸法は前記枠体の室内端部の見込方向寸法と略同じであることを特徴として構成されている。
【００１３】
さらに、本発明に係るサッシは、前記ふかし枠の被覆面部は、前記内周面部の室内端部から外周側に伸びる室内面と、該室内面の外周端部から前記額縁の室内端部側に伸びる外周面とからなることを特徴として構成されている。
【００１４】
さらにまた、本発明に係るサッシは、前記枠体の被嵌合部は枠材の長手方向に沿う凹状または凸状に形成され、前記嵌合部は前記ふかし枠の長手方向に沿うと共に、凹状または凸状の前記被嵌合部に対して嵌合自在な凸状または凹状に形成されることを特徴として構成されている。
【発明の効果】
【００１５】
本発明に係るサッシによれば、枠体の室内端部の外周面には被嵌合部が形成され、被嵌合部には樹脂製のふかし枠が嵌合され、ふかし枠により額縁の見込方向寸法を室内側に延長することにより、ふかし枠を額縁材に対して固定する作業を不要とすることができ、短時間に施工を行うことができると共に、ふかし枠と樹脂製のカバー材との二部品で構成する必要がなく、一部品でふかし枠を構成できるので、部品点数を減らしてコストダウンも図ることができる。
【００１６】
そして、本発明に係るサッシによれば、障子の縦辺外周部に、枠体の内周面のうち額縁の内周側に位置している部分に当接自在な当たり部を設けたことにより、障子を閉じる際の衝撃が、縦枠の室内端部に直接加わることがなく、ふかし枠に大きな荷重が加わらないようにすることができる。
【００１７】
また、本発明に係るサッシによれば、ふかし枠は、枠体の被嵌合部に対して嵌合自在な嵌合部を有する内周面部と、額縁の室内端面を覆う被覆面部とを有し、ふかし枠の見込方向寸法は枠体の室内端部の見込方向寸法と略同じであることにより、ふかし枠により額縁を室内側に延長した内観を奏すると共に、枠体の室内側に突出する部分をふかし枠により全て覆うことができるので、意匠性を良好にすることができる。
【００１８】
さらに、本発明に係るサッシによれば、ふかし枠の被覆面部は、内周面部の室内端部から外周側に伸びる室内面と、室内面の外周端部から額縁の室内端部側に伸びる外周面とからなることにより、ふかし枠が額縁材を延長したような内観とすることができ、意匠性をよくすることができる。
【００１９】
さらにまた、本発明に係るサッシによれば、枠体の被嵌合部は枠材の長手方向に沿う凹状または凸状に形成され、嵌合部はふかし枠の長手方向に沿うと共に、凹状または凸状の被嵌合部に対して嵌合自在な凸状または凹状に形成されることにより、嵌合部及び被嵌合部を簡易な構成とすると共に、簡単に枠体とふかし枠を一体化することができる。
【図面の簡単な説明】
【００２０】
【図１】サッシの縦断面図である。
【図２】サッシの横断面図である。
【図３】外障子が配置される側の縦枠付近拡大横断面図である。
【図４】サッシの施工手順を表した分解横断面図である。
【図５】内障子が配置される側の縦枠付近拡大横断面図である。
【発明を実施するための形態】
【００２１】
本発明の実施形態について図面に沿って詳細に説明する。図１にはサッシの縦断面図を、図２にはサッシの横断面図を、それぞれ示している。本実施形態のサッシは、建物開口部の額縁１の内周に取付けられる内窓であって、図示しない外窓の室内側に設置されて、断熱性や遮音性を向上させるものである。額縁１は、上額縁材４０と下額縁材４１及び左右の縦額縁材４２、４２が、建物開口部の四周に渡って設けられてなるものである。
【００２２】
このサッシは、額縁１の内周面に取付けた枠体２内に内障子３と外障子４を引き違い状に納めてなるものである。枠体２は、上枠１０と下枠２０及び左右の縦枠３０、３０を方形状に枠組みして構成される。また、内障子３及び外障子４は、いずれも框材を方形状に框組みしてなる框体５に複層ガラス板からなるパネル体６を納めて構成され、枠体２内において内障子２と外障子３が引き違い状に納められる。
【００２３】
枠体２を構成する上枠１０は、上額縁材４０の内周面４０ａに固定される内周面部１１を備え、内周面部１１の室内外には、それぞれ凹状の外案内部１３と内案内部１４が形成される。外案内部１３と内案内部１４は、それぞれ外障子４と内障子３の上辺部分を保持し、これらを長手方向に案内する。
【００２４】
また、上枠１０のうち、室内側に面する室内側面１５には、その表面を覆うように樹脂被覆材１６が取付けられる。上枠１０は、枠体２の強度確保のため、強度の高い樹脂材料によって形成されている。一方で、内障子３及び外障子４を構成する框体５には、意匠性向上のため、上枠１０とは異なる種類の樹脂材料を用いている。樹脂被覆材１６は、框体５を構成する樹脂材と同じ材料からなっており、枠体２と框体５とで内観視を統一して、意匠性を高くすることができる。
【００２５】
上枠１０は、上額縁材４０の室内端面４０ｂよりも室内側に伸びる室内端部１２を有している。本実施形態のサッシでは、上枠１０のうち内案内部１４の室内外中間位置より室内側の部分が、室内端部１２を構成している。室内端部１２の外周側には上額縁材４０が存在しないので、その代わりに上ふかし枠１７が設けられて、上額縁材４０の上枠１０を取付ける見込方向寸法を室内側に延長している。
【００２６】
上ふかし枠１７は、金属製で断面中空状に形成されており、室外面が上額縁材４０の室内端面４０ｂにスペーサー４０ｃを介して突き当てられると共に、ネジ止め固定されている。上ふかし枠１７の見込方向寸法は、上枠１０の室内端部１２の見込方向寸法と略同じであり、上枠１０の室内端部１２と対向する内周面部１７ａを備えている。
【００２７】
上ふかし枠１７の室内側に露出する室内面と外周面は、上樹脂カバー材１８で被覆されている。これにより、金属材が室内側に直接露出しないようにして、意匠性及び断熱性を向上させることができる。
【００２８】
枠体２を構成する下枠２０は、下額縁材４１の内周面４１ａに固定される内周面部２１を備えている。内周面部２１には、金属製のレール部材２３が取付けられている。レール部材２３には内周側に向かって突出する内レール２３ａ及び外レール２３ｂが形成されており、それぞれ内障子３と外障子４を長手方向に案内する。
【００２９】
下枠２０も、下額縁材４１の室内端面４１ｂよりも室内側に伸びる室内端部２２を有している。下額縁材４１の室内端面４１ｂより室内側には、下ふかし枠２４が設けられていて、下額縁材４１の下枠２０を取付ける見込方向寸法を室内側に延長している。下ふかし枠２４は、断面略Ｌ字状をなすように形成されており、下枠２０の室内端部２２と対向する内周面部２４ａとを備えると共に、室外端面がスペーサー４１ｃを介して下額縁材４１の室内端面４１ｂに突き当てられると共に、ネジ止め固定されている。
【００３０】
下ふかし枠２４の室内側に露出する部分は、断面略コ字状の下樹脂カバー材２５で被覆されている。これにより、金属材が室内側に直接露出しないようにして、意匠性及び断熱性を向上させることができる。
【００３１】
枠体２を構成する縦枠３０は、縦額縁材４２の内周面４２ａに固定される内周面部３１を備えると共に、上枠１０や下枠２０と同様、縦額縁材４２の室内端面４２ｂよりも室内側に伸びる室内端部３２を有している。縦額縁材４２の室内端面４２ｂよりも室内側には、縦ふかし枠３３が設けられていて、縦額縁材４２の縦枠３０を取付ける見込方向寸法を室内側に延長している。
【００３２】
縦ふかし枠３３は、上ふかし枠１７や下ふかし枠２４と異なり、縦枠３０に対して嵌合固定されている。図３には、外障子４が配置される側の縦枠３０付近拡大横断面図を示している。縦ふかし枠３３は、樹脂製の部材からなり、縦枠３０の室内端部３２の外周側に接する内周面部３３ａと、縦額縁材４２の室内端面４２ｂが室内側に露出しないように被覆する被覆面部３３ｃとを有している。被覆面部３３ｃは、内周面部３３ａの室内端部から外周側に向かって伸びる室内面３３ｄと、室内面３３ｄの外周端部から縦額縁材４２の室内端面４２ｂの位置まで伸びる外周面３３ｅとで、断面略Ｌ字状をなすように形成されている。
【００３３】
縦ふかし枠３３の見込方向寸法は、縦枠３０の室内端部３２の見込方向寸法と略同じとなっており、縦枠３０の室内端部３２の分だけ、縦額縁材４２を室内側に延長している。縦枠３０には、室内端部３２の外周面に長手方向に沿う凹状の被嵌合部３２ａが形成されており、縦ふかし枠３３の内周面部３３ａには、被嵌合部３２ａに対してスライド嵌合自在な凸状の嵌合部３３ｂが形成されている。
【００３４】
被嵌合部３２ａは室内外２つの突条によって凹状を形成しており、嵌合部３３ｂは被嵌合部３２ａの２つの突条の、対向する内面側に適合する外面形状を有する２つの突条によって構成されている。嵌合部３３ｂと被嵌合部３２ａは、かかる形状を有することにより、縦ふかし枠３３を縦枠３０の端面から長手方向にスライドさせて両者を嵌合させ、一体化することができる。
【００３５】
図４には、サッシの施工手順を表した分解横断面図を示している。サッシを施工する際には、図４（ａ）のように縦枠３０に対して縦ふかし枠３３を予めスライド嵌合し、図４（ｂ）のように両者を一体化しておく。そして、図４（ｃ）に示すように、両者を一体化した状態で縦枠３０を縦額縁材４２に対して固定する。これにより、縦ふかし枠３３を縦額縁材４２に対して固定する作業を不要とすることができ、工数を減らして作業性を向上させることができると共に、縦ふかし枠と樹脂製のカバー材との二部品で構成する必要がなく、一部品で縦ふかし枠を構成できるので、部品点数を減らしてコストダウンも図ることができる。
【００３６】
図５には、内障子３が配置される側の縦枠３０付近の拡大横断面図を示している。図３とは反対側の縦枠３０においても、同様の構造で縦ふかし枠３３が設けられる。内障子３は、框体５を構成する縦框５０が、縦枠３０の内周面と対向しており、内障子３が閉じた状態では縦框５０の外周面が縦枠３０の内周面に突き当たる。
【００３７】
内障子３の縦框５０には、外周面の室外端部に気密材からなる当たり部５１が設けられ、当たり部５１が縦枠３０の内周面に対して直接突き当たるようにされている。当たり部５１は、縦枠３０の内周面のうち縦額縁材４２の内周側に位置している部分、すなわち縦枠３０の室内端部３２より室外側の部分に当接自在となっている。
【００３８】
本実施形態のサッシでは、縦ふかし枠３３は樹脂材のみからなり、しかも縦額縁材４２には固定されていないから、強度があまり大きくない。これに対し、当たり部５１がこのように構成されていることにより、内障子３を閉じる際の衝撃が、縦枠３０の室内端部３２に直接加わることがなく、縦ふかし枠３３に大きな荷重が加わらないようにすることができる。
【００３９】
以上、本発明の実施形態について説明したが、本発明の適用はこれらの実施形態には限られず、その技術的思想の範囲内において様々に適用されうるものである。本実施形態では、枠体２のうち縦枠３０に対し縦ふかし枠３３を直接嵌合し、縦ふかし枠３３が縦額縁材４２には固定されない構造としているが、上枠１０や下枠２０で同様の構成を採用してもよい。この場合、上枠１０と下枠２０及び左右の縦枠３０、３０の四周に渡って被嵌合部を形成し、枠体２に対してそれぞれ嵌合する上ふかし枠と下ふかし枠及び縦ふかし枠を設けるようにしてもよいし、上枠１０と下枠２０に被嵌合部を形成し、枠体２に対して嵌合する上ふかし枠と下ふかし枠を設けて、縦枠３０については従来の構造を採用するようにしてもよい。
【００４０】
また、本実施形態では、縦ふかし枠３３の嵌合部３３ｂが凸状で縦枠３０の被嵌合部３２ａが凹状となって両者がスライド嵌合自在となっているが、嵌合部３３ｂが凹状で被嵌合部３２ａが凸状となっていてもよい。また、両者の固定は必ずしもスライド嵌合によらなくてもよく、単に嵌合できるようになっていてもよい。
【符号の説明】
【００４１】
１    額縁
２    枠体
３    内障子
４    外障子
５    框体
６    パネル体
１０    上枠
１７    上ふかし枠
２０    下枠
２４    下ふかし枠
３０    縦枠
３１    内周面部
３２    室内端部
３２ａ  被嵌合部
３３    縦ふかし枠
３３ａ  内周面部
３３ｂ  嵌合部
３３ｃ  被覆面部
３３ｄ  室内面
３３ｅ  外周面
４０    上額縁材
４１    下額縁材
４２    縦額縁材
４２ａ  内周面
４２ｂ  室内端面
５０    縦框
５１    当たり部
【図１】
0005938766.tif 000002
【図２】
0005938766.tif 000003
【図３】
0005938766.tif 000004
【図４】
0005938766.tif 000005
【図５】
0005938766.tif 000006